(57)【要約】【課題】  圧力スイッチが作動した場合、それが弁体の一部開放による水漏れのためか、火災により弁体が開放したためかを判別できる流水検知装置を提供する。【解決手段】  本発明は、監視時には閉鎖し、火災時には一次側配管内の圧力より二次側配管内の圧力が低くなることで開放される弁体と、弁体が着座している弁座と、弁座から排水管まで接続する接続管と、接続管に設けられるオートドリップと、オートドリップの一次側の接続配管から分岐する分岐管と、分岐管に接続される圧力スイッチと、を備えた流水検知装置において、圧力スイッチは第１の接点と第２の接点とを有し、第１の接点は第２の接点より低圧で作動することを特徴としている。【選択図】図２
2014090890.tif 000002
【特許請求の範囲】
【請求項１】
監視時には閉鎖し、火災時には一次側配管内の圧力より二次側配管内の圧力が低くなることで開放される弁体と、該弁体が着座している弁座と、該弁座から排水管まで接続する接続管と、該接続管に設けられるオートドリップと、該オートドリップの一次側の前記接続配管から分岐する分岐管と、該分岐管に接続される圧力スイッチと、を備えた流水検知装置において、
前記圧力スイッチは第１の接点と第２の接点とを有し、
前記第１の接点は前記第２の接点より低圧で作動することを特徴とする流水検知装置。
【請求項２】
前記圧力スイッチは第１の圧力スイッチと第２の圧力スイッチとからなり、
前記第１の圧力スイッチは前記第１の接点を有し、前記第２の圧力スイッチは前記第１の接点を有することを特徴とする請求項１記載の流水検知装置。
【請求項３】
前記第１の接点が作動すると異常信号を出力し、前記第２の接点が作動すると流水信号を出力することを特徴とする請求項１又は２記載の流水検知装置。
【請求項４】
前記流水信号を出力すると、前記異常信号の出力を停止することを特徴とする請求項３記載の流水検知装置。
【請求項５】
弁体が開放したときの消火水の流れを圧力で検知する圧力スイッチを有する流水検知装置と、該流水検知装置と信号線で接続される火災受信機とを有する消火設備において、
前記圧力スイッチは、作動すると異常信号を出力する第１の接点と、該第１の接点より高圧で作動し、作動すると流水信号を出力する第２の接点とを有し、
前記火災受信機は、前記異常信号を受信すると異常警報を行い、前記流水信号を受信すると前記異常警報を停止して、流水警報を行うことを特徴とする消火設備。
【請求項６】
弁体が開放したときの消火水の流れを圧力で検知する圧力スイッチを有する流水検知装置と、該流水検知装置と信号線で接続される火災受信機とを有する消火設備において、
前記圧力スイッチは、作動すると第１の信号を出力する第１の接点と、該第１の接点より高圧で作動し、作動すると第２の信号を出力する第２の接点とを有し、
前記火災受信機は、前記第１の信号又は前記第２の信号のいずれか一方を受信すると異常警報を行い、前記第１の信号と前記第２の信号の両方を受信すると流水警報を行うことを特徴とする消火設備。
【発明の詳細な説明】
【技術分野】
【０００１】
本発明は、流水検知装置及び該流水検知装置を備えた消火設備に関する。
【背景技術】
【０００２】
従来、スプリンクラ消火設備、泡消火設備、水噴霧設備においては、加圧送水装置からの加圧水をヘッドに供給する配管の途中に流水検知装置を設けている。
【０００３】
流水検知装置は、通常時、流水検知装置の一次側と二次側が同圧状態であることから、自重により弁体を閉鎖位置としている。火災時にヘッドから加圧水の散布が行われた場合には、二次側の圧力低下を受けて、一次側圧力により弁体を開放すると共に、弁体の開放を圧力スイッチで構成される流水検知部により検知して所定の遅延時間後に流水検知信号を出力し、火災受信機から流水警報を出すようにしている。
【０００４】
流水検知装置は弁座に孔が設けられ、その孔から、流量を絞るオートドリップを介して排水管まで、配管で接続されている。また、弁座に設けられた孔とオートドリップとの間から分岐して、圧力スイッチが接続されている。
【０００５】
弁体が開弁すると、弁座に設けた孔を通って加圧水が流れ、オートドリップで流量を絞りつつ、オートドリップを通過した加圧水は配水管から排水される。弁座に設けた孔からの流入量がオートドリップの排水量を上回ると、圧力スイッチの接点が閉じる。（例えば、特許文献１参照）。
【０００６】
流水検知装置のオートドリップは、弁体と弁座の間にゴミ等の噛み込みが起こった場合等、弁体が少し開放して一次側から二次側に消火水が漏れる場合には圧力スイッチが作動しない程度に、そして弁体が完全に開放して一次側から二次側に消火水が流れる場合には圧力スイッチが作動する程度に、消火水が少量だけ通れるように流路を絞っている。そして、オートドリップを通過した消火水は、排水管から排水される。
【先行技術文献】
【特許文献】
【０００７】
【特許文献１】特開２０１１−０２４７９２号公報
【発明の概要】
【発明が解決しようとする課題】
【０００８】
しかしながら、弁体と弁座の間にゴミ等の異物が噛み込まれてしまい、弁体が少し開いて水漏れしたとき、漏れた消火水がオートドリップを通過しきれない量であった場合、排水しきれずに火災以外の要因で圧力スイッチの接点が閉じてしまい、火災受信機が流水検知装置の流水表示をすることになる。
【０００９】
本発明は、このような従来の問題に鑑みてなされたもので、圧力スイッチの接点が閉じた場合、その要因が、弁体が一部開放したことによる水漏れのためか、火災により弁体が開放して消火水が流れたためかを判別できる流水検知装置を提供することを目的とする。
【課題を解決するための手段】
【００１０】
本発明は、監視時には閉鎖し、火災時には一次側配管内の圧力より二次側配管内の圧力が低くなることで開放される弁体と、該弁体が着座している弁座と、該弁座から排水管まで接続する接続管と、該接続管に設けられるオートドリップと、該オートドリップの一次側の接続配管から分岐する分岐管と、該分岐管に接続される圧力スイッチと、を備えた流水検知装置において、圧力スイッチは第１の接点と第２の接点とを有し、第１の接点は第２の接点より低圧で作動することを特徴とするものである。
【００１１】
また、本発明は、弁体が開放したときの消火水の流れを圧力で検知する圧力スイッチを有する流水検知装置と、該流水検知装置と信号線で接続される火災受信機とを有する消火設備において、圧力スイッチは、作動すると異常信号を出力する第１の接点と、該第１の接点より高圧で作動し、作動すると流水信号を出力する第２の接点とを有し、火災受信機は、異常信号を受信すると異常警報を行い、流水信号を受信すると異常警報を停止して、流水警報を行うことを特徴とするものである。
【００１２】
また、弁体が開放したときの消火水の流れを圧力で検知する圧力スイッチを有する流水検知装置と、該流水検知装置と信号線で接続される火災受信機とを有する消火設備において、圧力スイッチは、作動すると第１の信号を出力する第１の接点と、該第１の接点より高圧で作動し、作動すると第２の信号を出力する第２の接点とを有し、火災受信機は、第１の信号又は第２の信号のいずれか一方を受信すると異常警報を行い、第１の信号と第２の信号の両方を受信すると流水警報を行うことを特徴とするものである。
【発明の効果】
【００１３】
本発明は、低圧で作動する第１の接点と、高圧で作動する第２の接点とを設けたため、弁体が一部開放したことによる水漏れと、火災により弁体が開放して消火水が流れたこととを判別できる。
【００１４】
また、本発明は、火災受信機が異常警報を行っているときに、さらに流水信号を受信したときには異常警報を停止するので、異常時と、火災時とを明確に区別することができる。
【００１５】
また、本発明は、火災受信機が第１の信号と第２の信号の両方を受信すると流水警報を行うので、より正確な流水警報を行うことができる。
【図面の簡単な説明】
【００１６】
【図１】本発明の実施の形態１及び２に係る消火設備の構成図である。
【図２】本発明の実施の形態１に係る流水検知装置の構成図である。
【図３】本発明の実施の形態２に係る流水検知装置の圧力スイッチの構成図である。
【発明を実施するための形態】
【００１７】
・本発明の実施の形態１
［消火設備１００の構成］
以下、本発明の実施の形態１に係る消火設備１００について、図１に基づいて説明する。なお、消火設備１００については閉鎖型噴霧消火設備を例に説明するが、閉鎖型噴霧消火設備に限らず、スプリンクラ消火設備、泡消火設備等、流水検知装置１が設けられる消火設備であれば何でも良い。
【００１８】
１は流水検知装置で、二次側に二次側配管２４，一次側に一次側配管２６が接続されており、二次側配管２４及び一次側配管２６には消火薬剤水溶液又は消火水が加圧充水され、共にほぼ同じ圧力に保たれている。流水検知装置１は、チャッキ弁機構（後述する弁体５）を有しており、二次側配管２４の圧力が低下すると、弁体５が開弁し、一次側配管２６と二次側配管２４とを連通させる。また、弁体５が開弁すると、一次側配管２６から二次側配管２４に流れる消火水の圧力により検知する圧力スイッチを備えている。
【００１９】
２２は閉鎖型のスプリンクラヘッドで、二次側配管２４の先端部に接続される。スプリンクラヘッド２２は、２本のフレームの下にデフレクタが固定されている馬蹄型のスプリンクラヘッドで構成される。感熱部はグラスバルブで構成され、放水口を止水している弁体を支持している。消火剤水溶液が放水口から放射されると、発泡網を有していないのであまり発泡することなく（例えば、発泡倍率５倍未満）、デフレクタに衝突して防護区域に噴霧される。
【００２０】
４４はベンチュリー管を有する混合器であり、水槽４０から供給される消火水の流入口と、消火薬剤槽４２から供給される消火薬剤の流入口と、混合された消火薬剤水溶液の流出口を有する。消火水と消火薬剤が混合されて生成された消火薬剤水溶液は流水検知装置１側へ送出される。
【００２１】
５０は火災受信機で、流水検知装置１の後述する圧力スイッチと信号線で接続されており、圧力スイッチからの信号を受信して、警報を報知する。
［流水検知装置１の構成］
以下、本発明の実施の形態１に係る流水検知装置１について、図２に基づいて説明する。
【００２２】
流水検知装置１は、本体２と流水検知部３とから構成される。
【００２３】
流水検知装置１は、本体２の下側に一次側配管２６が接続される流入口２０を形成し、上側に二次側配管２４が接続される流出口２１を形成している。一次側となる流入口２０に対しては消火ポンプや補助加圧ポンプを備えた加圧送水装置からの加圧水が給水される。二次側となる流出口２１は、スプリンクラヘッド２２が設けられる配管が接続され、スプリンクラヘッド２２に加圧水を供給する。
【００２４】
本体２は弁体５と弁座７とを有する。
【００２５】
弁体５は、流水検知装置１内に開閉自在に組み込まれている。通常時では、流水検知装置置１の一次側と二次側の配管内の圧力はほぼ同圧であることから、弁体５は自重により、及び弁体５の一次側と二次側の面積差による閉鎖方向へ働く力により弁座７に着座して、閉鎖位置となっている。一方、火災時には開弁し、流水検知装置１の一次側と二次側とを連通させる。
【００２６】
弁座７の上端面には排水口７ａが設けられており、弁体７が閉じているときには、排水口７ａは弁体７により閉ざされている。そのため、通常時においては、排水口７ａに消火水が流入することはない。
【００２７】
流水検知部３は排水口７ａに接続されており、接続管９、排水管１１、分岐管１３、オートドリップ１５、遅延装置１７、第１の圧力スイッチ１８及び第２の圧力スイッチ１９を有する。
【００２８】
接続管９は、排水口７ａと排水管１１とを接続しており、排水口７ａから流入した消火水が流れる配管である。接続管９にはオートドリップ１５が接続されており、排水管１１に流れる水量を絞っている。
【００２９】
分岐管１３は、一端はオートドリップ１５の一次側の接続管９に接続されており、他端は遅延装置１７に接続されている。
【００３０】
遅延装置１７は、第１の圧力スイッチ１８及び第２の圧力スイッチ１９と接続している。そして、遅延装置１７は、例えば、チャンバ式と呼ばれる構造であり、排水口７ａから消火水が流入した場合に、チャンバ内に流入した消火水（信号水）が上昇してチャンバ上部の空気圧が所定の値以上になったときに、接続されている圧力スイッチのスイッチをオンにして警報を発生させるものである。
【００３１】
なお、ここでは遅延装置１７をチャンバ式として説明するが、排水口７ａから流入してきた水が遅延装置の内部に圧力を掛けることにより、内部の圧縮バネや液体等を押しやってスイッチを導通させる機械式であっても良い。
【００３２】
第１の圧力スイッチ１８は、第１の接点を有しており、遅延装置１７に信号水が流入し、第１の閾値、例えば０．０１ＭＰａ以上の圧力がかかったときに接点が閉じて、火災受信機５０に信号を出力する。遅延装置１７に信号水が流入し、第１の閾値より大きく、後述する第２の閾値より小さい圧力が第１の圧力スイッチ１８にかかるのは、弁体５と弁座７の間にゴミ等の異物が噛み込まれて排水口７ａに消火水が流入している場合、つまり、水漏れしている場合において、排水口７ａから流入した消火水をオートドリップ１５が排水仕切れないときに起こりうることである。すなわち、第１の圧力スイッチ１８から火災受信機５０に出力される信号は、弁体５と弁座７との間の水漏れ等を示す異常信号（第１の信号）である。
【００３３】
第２の圧力スイッチ１９は、第２の接点を有しており、遅延装置１７に信号水が流入し、第２の閾値、例えば０．１ＭＰａ以上の圧力がかかったときに、第２の接点が閉じて、火災受信機５０に信号を出力する。第２の閾値は第１の閾値より大きな値であり、例えば、第２の閾値は第１の閾値の約１０倍である。つまり、第２の圧力スイッチ１９は、第１の圧力スイッチ１８より大きな圧力によって信号を出力する。遅延装置１７に信号水が流入し、第２の閾値より大きい圧力が第２の圧力スイッチ１９にかかるのは、火災により弁体５が開弁して、流水検知装置１の一次側（流入口２０）と二次側（流出口２１）とが連通した場合である。すなわち、第２の圧力スイッチ１９から火災受信機５０に出力される信号は、流水検知装置１の一次側から二次側に消火水が流入する流水信号（第２の信号）である。
【００３４】
第１の圧力スイッチ１８と第２の圧力スイッチ１９は同一の筐体に設けられておらず、それぞれが別の筐体であり、遅延装置１７から管が分岐して、それぞれの圧力スイッチに圧力を供給している。
【００３５】
火災受信機５０は、第１の圧力スイッチ１８から出力される異常信号を受信すると、異常警報により、異常を報知する。また、第２の圧力スイッチ１９から出力される流水信号を受信すると、流水警報により、消火設備の作動を報知する。火災受信機５０は、異常信号を受信して異常警報を行っている場合に、さらに流水信号を受信すると、異常警報を停止して流水警報を行う。すなわち、火災受信機５０は、異常警報より流水警報を優先的に行っている。これは、異常信号は流水検知装置１の水漏れ等の異常で出力される信号であるが、流水信号は火災により出力される信号であり、つまり、つまり、流水信号は火災信号と同等であり、異常信号より流水信号の方が、緊急性が強いためである。
【００３６】
なお、上記では火災受信機５０が流水警報を異常警報より優先する例を示したが、流水検知装置１の圧力スイッチが、流水信号が出力されたときには、異常信号の出力を停止するように構成しても良い。
【００３７】
また、火災受信機５０は、第１の圧力スイッチ１８から出力される信号を第１の信号、第２の圧力スイッチ１９から出力される信号を第２の信号としたときに、前記第１の信号又は前記第２の信号のいずれか一方を受信すると異常警報を行い、前記第１の信号又は前記第２の信号の両方を受信すると流水警報を行うようにしても良い。こうすることで、例えば、地震や水漏れにより信号線のいずれかで短絡が発生した場合した場合、第２の圧力スイッチ１９からの信号が出力されたとしても、前記第１の信号又は前記第２の信号の両方を受信して流水信号とすることで、より正確な流水警報を行うことができる。
［動作説明］
上記のような構成を持つ流水検知装置１の動作について、図１に基づいて説明する。
【００３８】
先ず、火災が起こった場合における流水検知装置１の動作を説明する。
【００３９】
火災が発生すると、燃焼物近傍から天井へと熱を伝える上昇気流が発生し、火源近傍のスプリンクラヘッド２２が作動する。スプリンクラヘッド２２からは、二次側配管２４に充水されている消火薬剤水溶液又は消火水が放射され、火源に向かって噴霧される。そして二次側配管２４内の圧力が大きく低下する。
【００４０】
二次側配管２４の圧力が一次側配管２６の圧力よりも低くなると、流水検知装置１の弁体５が開弁し、一次側配管２６と二次側配管２４とが連通状態となり、一次側配管２６に充水されている消火薬剤水溶液が二次側配管２４へ流入する。
【００４１】
このとき、流水検知装置１では、排水口７ａから消火水が流入し、オートドリップ１５により排水されなかった消火水が遅延装置１７のチャンバ内に信号水として流入する。弁体５が開放しているため、排水口７ａには多くの水が流れ込み、第１の圧力スイッチ１８及び第２の圧力スイッチ１９に第２の閾値以上の圧力がかかる。
【００４２】
第１の圧力スイッチ１８から異常信号、第２の圧力スイッチ１９から流水信号が火災受信機５０に出力される。火災受信機５０は、異常信号と流水信号の両方を受信すると、異常警報を行わず、流水が起きた旨を盤面に表示して、流水警報を行う。
【００４３】
次に、弁体５と弁座７の間に異物の噛み込みが起こった場合等の異常事態における流水検知装置１の動作を説明する。
【００４４】
弁体５と弁座７の間に異物の噛み込みが起こった場合、弁体５は火災時のように全開には開放せず、わずかに開放する。そのわずかな開放により、排水口７ａに消火水が流入する。そして、オートドリップ１５により排水されなかった消火水が遅延装置１７のチャンバ内に信号水として流入する。この信号水は、火災時に遅延装置１７に流入した信号水に比べて遥かに少量である。そのため、第１の閾値以上、かつ第２の閾値以下の圧力が第１の圧力スイッチ１８及び第２の圧力スイッチ１９にかかることになる。
【００４５】
すると、第１の圧力スイッチから異常信号が火災受信機５０に出力される。火災受信機５０は異常信号を受信すると、流水検知装置１に異常があった旨を盤面に表示して、異常警報を行う。
・本発明の実施の形態２
本発明の実施の形態２に係る流水検知装置１に備えた圧力スイッチ３０について、図３に基づいて説明する。なお、実施の形態２では、上述の実施の形態１との相違点について詳細に説明するものとし、実施の形態１に対応している部材、構成については同じ符号をつけて説明を省略する。さらに、消火設備１００の全体構成は上述の実施の形態１と同様なので省略する。
【００４６】
流水検知装置１は圧力スイッチ３０を備えている。
【００４７】
圧力スイッチ３０は、第１の閾値で異常信号を出力する第１の接点と３２と、第２の閾値で流水信号を出力する第２の接点３４を有している。つまり、圧力スイッチ３０は、１つの筐体内に２つの接点機構を有している。第１の接点３２は本発明の実施の形態１に係る第１の圧力スイッチ１８と同様に動作し、第２の接点３４は本発明の実施の形態１に係る第２の圧力スイッチ１９と同様に動作する。つまり、第２の接点３４は、第１の接点３２より高圧で作動し、水漏れの場合は第１の接点３２のみが作動し、火災時の場合は第１の接点３２及び第２の接点３４が作動する。これにより、火災受信機５０で異常警報又は流水警報がなされる。
［流水検知装置１及び消火設備１００の有する効果］
本発明に係る流水検知装置１は、火災時に流水信号を出力する第２の閾値より低い第１の閾値で異常信号を出力するようにしたので、弁体５と弁座７との間で異物を噛み混んで、弁体が一部開放した場合等の異常時と、弁体が開放した火災時とを判別することができる。
【００４８】
また、本発明にかかる消火設備１００は、火災受信機５０が異常警報を行っているときに、さらに流水信号を受信したときには異常警報を停止するので、異常時と、火災時とを明確に区別することができる。
【符号の説明】
【００４９】
１  流水検知装置、２  本体、３  流水検知部、５  弁体、７  弁座、７ａ  排水口、１１  排水管、１３  分岐管、１５  オートドリップ、１７  遅延装置、１８  第１の圧力スイッチ、１９  第２の圧力スイッチ、２０  流入口、２１  流出口、２２  スプリンクラヘッド、２４  二次側配管、２６  一次側配管、３０  圧力スイッチ、３２  第１の接点、３４  第２の接点、４０水槽、４２  消火薬剤槽、４４  混合器、５０  火災受信機、１００  消火設備。
【図１】
2014090890.tif 000003
【図２】
2014090890.tif 000004
【図３】
2014090890.tif 000005